(57)【要約】【課題】コンテンツの不正使用を極めて確実に阻止し得る磁気記録媒体および磁気記録装置の提供を目的とする。【解決手段】各種情報の記録・再生を実行可能な磁気記録装置１は、基板１１、基板１１上の磁性層１２、および、触媒１６を担持した発熱層１５を備える磁気ディスク１０と、磁気ディスク１０を収容する筐体２と、磁気ディスクの発熱層１５と対向するように筐体２内に配置されており、触媒１６の存在のもとで熱を発生する燃料Ｆを貯留する燃料タンク３０とを備え、筐体２が開封されると、燃料タンク３０から磁気ディスク１０の発熱層１５に燃料Ｆが供給されるように構成されている。【選択図】　　　　図１
2004054997.tif 000002
【特許請求の範囲】
【請求項１】
各種情報の記録・再生を実行可能な磁気記録装置において、基板、該基板上の磁性層、および、触媒を担持した発熱層を備える磁気記録媒体と、
前記磁気記録媒体を収容する筐体と、
前記磁気記録媒体の前記発熱層と対向するように前記筐体内に配置されており、前記触媒の存在のもとで熱を発生する燃料を貯留する燃料タンクとを備え、
前記筐体が開封されると、前記燃料タンクから前記磁気記録媒体の発熱層に前記燃料が供給されることを特徴とする磁気記録装置。
【請求項２】
前記燃料タンクの内圧を周囲圧力よりも相対的に増加させることにより、前記発熱層に対する前記燃料タンクからの燃料噴射を許容する燃料供給許容手段を更に備えることを特徴とする請求項１に記載の磁気記録装置。
【請求項３】
前記磁気記録媒体の前記発熱層の近傍に配置されており、前記磁気記録媒体を加熱可能なヒータと、
前記ヒータに電力を供給する電源とを更に備えることを特徴とする請求項１または２に記載の磁気記録装置。
【請求項４】
前記筐体の開封を検知する開封検知手段を更に備え、この開封検知手段によって前記筐体の開封が検知されると、前記電源から前記ヒータに電力が供給されることを特徴とする請求項３に記載の磁気記録装置。
【請求項５】
基板上に磁性層を有し、前記磁性層に各種情報を記録可能な磁気記録媒体において、
繊維体またはハニカム構造体により形成されており、所定の燃料を発熱させるための触媒を担持した発熱層を備えることを特徴とする磁気記録媒体。
【発明の詳細な説明】
【０００１】
【発明の属する技術分野】
本発明は、磁性層を有する磁気記録媒体を備えた磁気記録装置、および、磁気記録媒体に関する。
【０００２】
【従来の技術】
現在では、市販されているパソコン等の端末機器に様々なコンテンツが予めインストールされている。また、インターネット等の電気通信回線の普及により、ユーザは、電気通信回線を介して所望のコンテンツを入手（ダウンロード）して、入手したコンテンツを容易に利用できるようになっている。その一方で、様々なコンテンツが容易に幅広く頒布されるようになればなるほど、コンテンツの不正使用を確実に防止して、著作権の保護を強化する必要が生じる。
【０００３】
コンテンツの不正使用を防止するために、従来から、ＩＤ番号やパスワード等を設定することにより、コンテンツの不正使用を制限することが行なわれている。しかしながら、正当な契約者がＩＤ番号やパスワードを第三者に漏洩した場合、当該第三者はそのコンテンツを容易に不正使用できてしまう。このため、コンテンツの不正使用を防止する新たな対策として、コンテンツを記録する記録媒体自体にもＩＤ番号等を埋め込んでおき、埋め込まれたＩＤ番号に基づいてコンテンツの利用を可能にする解除キー（コンテンツキー）を取得または作成することにより、コンテンツの利用を許容するシステムが提案されている。
【０００４】
【発明が解決しようとする課題】
しかしながら、専門の知識や技術をもつ者にとって、ハードディスク装置等を分解して記録媒体の記録内容を磁気ヘッドにより読み取り、信号処理を施してＩＤを盗用することは、さほど困難なことではない。従って、上述のようなコンテンツの不正使用防止システムを利用したとしても、コンテンツの不正使用を完全に防止することは困難である。このため、コンテンツを供給する者の権利を保護しつつ、インターネット等を介したコンテンツ配信等の普及を図る上で、コンテンツの不正使用をより一層確実に阻止し得る対策を講じる必要がある。
【０００５】
そこで、本発明は、コンテンツの不正使用を極めて確実に阻止し得る磁気記録装置および磁気記録媒体の提供を目的とする。
【０００６】
【課題を解決するための手段】
本発明による磁気記録装置は、各種情報の記録・再生を実行可能な磁気記録装置において、基板、該基板上の磁性層、および、触媒を担持した発熱層を備える磁気記録媒体と、磁気記録媒体を収容する筐体と、磁気記録媒体の発熱層と対向するように筐体内に配置されており、触媒の存在のもとで熱を発生する燃料を貯留する燃料タンクとを備え、筐体が開封されると、燃料タンクから磁気記録媒体の発熱層に燃料が供給されることを特徴とする。
【０００７】
この磁気記録装置に含まれる磁気記録媒体の磁性層には、様々なコンテンツや、コンテンツを利用するために必要なＩＤといった各種情報を記録することができる。ここで、磁気記録のために磁性層（磁性体）に磁場を加えると、磁性層の磁区のうち、加えられた磁場と同方向に磁化している複数の磁区が、それらの間に位置する磁壁を追いやるようにして増加し、磁壁が消滅した段階で一体の磁区を形成する。このような飽和磁化状態では、磁場が取り除かれても、追いやられた磁壁は磁場を加える前の位置に戻ることはない。磁気記録は、このような磁性体の性質を利用して行われるが、その一方で、磁性層が昇温し、磁性層温度がキュリー温度に達すると、磁性体としての性質が失われ、磁性層に記録された磁気情報は消滅することになる。
【０００８】
本発明の磁気記録装置は、このような磁性体の性質を利用してコンテンツの不正使用を確実に阻止可能とするものである。すなわち、本発明の磁気記録装置の磁気記録媒体には、例えば白金等の触媒を担持した発熱層が設けられている。また、この磁気記録装置の筐体の内部には、磁気記録媒体の発熱層と対向するように燃料タンクが配置されており、この燃料タンク内には、発熱層に担持された触媒の存在のもとで熱を発生する例えば炭化水素系の燃料が貯留されている。そして、この磁気記録装置は、筐体が開封されると、燃料タンクから磁気記録媒体の発熱層に燃料が供給されるように構成されている。
【０００９】
これにより、専門の知識や技術をもつ者等が磁気記録媒体の記録内容を不正に読み取ろうとして筐体を開封すると、その段階で燃料タンクから磁気記録媒体の発熱層に燃料が供給される。そして、発熱層において、燃料が触媒反応により発熱するので、磁気記録媒体の磁性層は、その反応熱によって加熱されることになる。この結果、磁性層に記録されているコンテンツおよびＩＤ等の所望の一部またはすべてを消去することができるので、この磁気記録装置によれば、コンテンツの不正使用を極めて確実に阻止することが可能となる。
【００１０】
この場合、燃料タンクの内圧を周囲圧力よりも相対的に増加させることにより、発熱層に対する燃料タンクからの燃料噴射を許容する燃料供給許容手段を更に備えると好ましい。
【００１１】
更に、磁気記録媒体の発熱層の近傍に配置されて磁気記録媒体を加熱可能なヒータと、ヒータに電力を供給する電源とを更に備えると好ましい。
【００１２】
また、筐体の開封を検知する開封検知手段を更に備え、開封検知手段によって筐体の開封が検知されると、電源からヒータに電力が供給されると好ましい。
【００１３】
本発明による磁気記録媒体は、基板上に磁性層を有し、磁性層に各種情報を記録可能な磁気記録媒体において、繊維体またはハニカム構造体により形成されており、所定の燃料を発熱させるための触媒を担持した発熱層を備えることを特徴とする。
【００１４】
【発明の実施の形態】
以下、図面と共に本発明による磁気記録装置および磁気記録媒体の好適な実施形態について詳細に説明する。
【００１５】
図１は、本発明による磁気記録装置を示す概略構成図である。同図に示される磁気記録装置１は、コンピュータ用外部記憶装置（ハードディスク装置）を始めとして、各種用途に適用可能なものである。同図に示されるように、磁気記録装置１は、密閉構造を有する筐体２を含んでおり、筐体２の内部には、磁気ディスク（磁気記録媒体）１０が収容されている。磁気ディスク１０は、スピンドルモータ３の回転軸３ａに取り付けられ、スピンドルモータ３によって所望速度で回転駆動される。
【００１６】
磁気ディスク１０は、図２に示されるように、アルミ、ガラス、あるいは、プラスチック等の樹脂等からなる円盤状の基板１１を含む。基板１１の一方の面（図２における下面）のほぼ全体には、様々なコンテンツやコンテンツを利用するために必要なＩＤといった各種情報を記録させることができる磁性層１２が環状に形成されている。この磁性層１２の上には、スピンコータによって潤滑層１４が形成されている。また、基板１１の他方の面（図２における上面）のほぼ全体には、ガラス繊維材のような繊維体、または、セラミック等のハニカム構造体からなる発熱層１５が環状に形成されている。そして、発熱層１５を構成する繊維体またはハニカム構造体には、例えば白金微粒子のような触媒１６が担持されている。
【００１７】
また、筐体２の内部には、磁気ディスク１０に対する情報の読取／書込を行う磁気ヘッド（スライダ）４、および、その先端に磁気ヘッド４を支持するヘッドアーム（サスペンション）５が配置されている。ヘッドアーム５は、ボイスコイルモータ（アクチュエータ）６によって旋回移動させられ、これにより、磁気ヘッド４は、磁気ディスク１０の所望のトラック上に位置決めされる。更に、筐体２の内部には、磁気ヘッド４による読取／書込、スピンドルモータ３の動作、および、ボイスコイルモータ６の動作等を制御する制御回路等が実装された回路基板７が配置されている。筐体２内の磁気ディスク１０の側方には、ディスク回転停止時に、磁気ヘッド４を待避させるためのランプ（図示省略）等が配置されている。
【００１８】
更に、磁気記録装置１では、筐体２の内部に内部隔壁２０が配置されている。この内部隔壁２０は、スピンドルモータ３、磁気ヘッド４、ヘッドアーム５、ボイスコイルモータ６、磁気ディスク１０といった構成部品が収容される内部気密室２１を画成する。また、内部隔壁２０は、磁気ディスク１０のほぼ真上に位置する可動部材２２を含む。図１からわかるように、可動部材２２は、スピンドルモータ３の回転軸３ａと摺動自在に嵌り合うガイド孔２２ａを有し、回転軸３ａの延在方向（図１における上下方向）に摺動自在である。なお、ガイド孔２２ａの上部は、閉鎖板２２ｂによって完全に閉鎖されている。そして、可動部材２２（閉鎖板２２ｂ）は、ゴム材等からなるベローズ状の伸縮部材２３により、内部隔壁２０の上壁２４に密に連結されている。
【００１９】
本実施形態では、上述の内部隔壁２０によって画成される内部気密室２１は気密状態に保たれる。同様に、筐体２と内部隔壁２０との間に画成される外部気密室２５も気密状態に保たれる。そして、内部気密室２１および外部気密室２５の内圧は、概ね同一でかつ大気圧（筐体２の外部の気圧）よりも小さい値Ｐ１に設定されている。ここで、内部気密室２１の内圧と外部気密室２５の内圧との間に差が存在していない場合、可動部材２２は移動することなくそのままの位置に保たれる。これに対して、内部気密室２１の内圧と外部気密室２５の内圧との間に差を生じた場合、ベローズ状の伸縮部材２３の存在と、その圧力差とによって、可動部材２２は、スピンドルモータ３の回転軸３ａに沿って図中上下に移動することになる。
【００２０】
内部気密室２１の内部には、更に、例えばベンジン等の炭化水素系燃料Ｆを貯留する燃料タンク３０（本実施形態では、２体）が配置されている。燃料タンク３０は、支持部材２６によって支持されており、磁気ディスク１０の発熱層１５と対向している。燃料タンク３０は、外力を加えることにより変形する可撓性材料により形成された筐体３１を含む。この筐体３１には、図３に示されるように、複数の噴射口を有するノズル３２が形成されている。そして、ノズル３２は、ごく薄いフィルム状の封止部材３３によって閉鎖されている。封止部材３３は、燃料タンク３０内の燃料Ｆの圧力ＰＦがタンク周囲の圧力よりも高まると、図３（Ｂ）に示されるように、ノズル３２から外れるか、あるいは、破れるものである。ここで、本実施形態では、図３（Ａ）に示されるように、燃料タンク３０内の燃料Ｆの圧力ＰＦは、内部気密室２１および外部気密室２５の内圧と同一の値Ｐ１に設定されている。
【００２１】
また、可動部材２２には、磁気ディスク１０とほぼ同一の外径を有する連動板２７が、磁気ディスク１０と対向するように固定されている。連動板２７の下面は、支持部材２６に支持されている燃料タンク３０の背面（図１における上面）と当接するか、あるいは、燃料タンク３０の背面に固定される。更に、可動部材２２には、接片２２ｃが固定されており、内部隔壁２０の上壁２４には、回路基板７に接続されたリミットスイッチ３５が取り付けられている。接片２２ｃは、可動部材２２が回転軸３ａに沿って下降した際に、リミットスイッチ３５の接片と接触し、これにより、リミットスイッチ３５がＯＮすることになる。
【００２２】
そして、各燃料タンク３０の近傍には、磁気ディスク１０の発熱層１５と対向するようにヒータ４０が配置されている。ヒータ４０には、可動部材２２の下降動作に伴ってリミットスイッチ３５がＯＮすると、一次電池または二次電池からなる電源８から回路基板７等を介して電流が印加される。ヒータ４０は、このように電流が印加された際に、磁気ディスク１０の発熱層１５を燃料Ｆの触媒反応温度（例えば、およそ１３０℃程度）に加熱可能なものである。
【００２３】
さて、上述のように構成されている本発明による磁気記録装置１では、磁気ディスク１０の磁性層１２に、様々なコンテンツや、コンテンツを利用するために必要なＩＤといった各種情報を記録することができる。
【００２４】
ここで、磁気記録のために磁性層１２（強磁性体）に磁場Ｈを加えると、磁性層１２の磁区のうち、加えられた磁場Ｈと同方向に磁化している複数の磁区が、それらの間に位置する磁壁Ｗを追いやるようにして増加し、磁壁Ｗが消滅した段階で一体の磁区を形成する（図４および図５参照）。このような飽和磁化状態では、磁場が取り除かれても、追いやられた磁壁は磁場を加える前の位置に戻ることはない。
【００２５】
磁性層１２に対する磁気記録は、このような磁性体の性質を利用して行われるが、その一方で、図６からわかるように、磁性層１２が昇温し、磁性層温度がキュリー温度Θｆに達すると、磁性層１２から磁性体としての性質が失われ、磁性層１２に記録された磁気情報は消滅することになる。一般に、磁気ディスク１０の磁性層１２として使用される希土類−鉄アモルファス薄膜（Ｃｇ−Ｆｅ，Ｔｈ−Ｆｅ，Ｄｙ−Ｆｅ，Ｈｏ−Ｆｅ等）では、組成に依存するが、キュリー温度Θｆは、およそ１００〜６００℃の範囲にある。
【００２６】
このような磁性体の性質に鑑みて、磁気記録装置１の磁気ディスク１０には、白金等の触媒を担持した発熱層１５が設けられると共に、筐体２の内部に、磁気ディスク１０の発熱層１５と対向するように炭化水素系燃料Ｆを貯留する燃料タンク３０が配置されている。そして、磁気記録装置１は、筐体２が開封されると、燃料タンク３０から磁気ディスク１０の発熱層１５に燃料Ｆが供給されるように構成されている。
【００２７】
すなわち、専門の知識や技術をもつ者等が、磁気ディスク１０の記録内容（コンテンツ自体あるいはＩＤ等）を読み取るために磁気記録装置１の筐体２を少しでも開封した場合、直ちに筐体２の内部（外部気密室２５）に周囲の空気が流入する。これにより、それまで大気圧Ｐ０以下である内圧Ｐ１に保たれていた外部気密室２５の内圧が高まり、外部気密室２５の内圧はやがて大気圧（周囲の気圧）Ｐ０に達する。一方、筐体２内の内部気密室２１の内圧は、依然として、当初の内圧Ｐ１に保たれる。
【００２８】
これにより、内部気密室２１の内圧と外部気密室２５の内圧との間に差を生じることから、この圧力差と、ベローズ状の伸縮部材２３の存在とによって、可動部材２２は、スピンドルモータ３の回転軸３ａに沿って図中下方に移動することになる。そして、このような可動部材２２の下降動作により、可撓性材料により形成されている燃料タンク３０の筐体３１が押圧されると共に、リミットスイッチ３５がＯＮされることになる。
【００２９】
この場合、可動部材２２、伸縮部材２３および連動板２７は、燃料タンク３０の内圧を周囲圧力よりも相対的に増加させることにより、発熱層１５に対する燃料タンク３０からの燃料噴射を許容する燃料供給許容手段として機能する。すなわち、可動部材２２が下降すると可動部材２２と共に連動板２７も下降し、可撓性材料により形成されている燃料タンク３０の筐体３１を加圧する。これにより、筐体３１内の燃料Ｆの圧力ＰＦが周囲圧力すなわち内部気密室２１の内圧Ｐ１よりも高まるので、封止部材３３がノズル３２から外れるか、あるいは、破れ、燃料タンク３０のノズル３２から磁気ディスク１０の発熱層１５に燃料Ｆが噴射されることになる。
【００３０】
また、可動部材２２に固定された接片２２ｃとリミットスイッチ３５とは、筐体２の開封を検知する開封検知手段として機能する。すなわち、可動部材２２が下降すると可動部材２２と共に接片２２ｃも下降し、リミットスイッチ３５の接片と接触する。これにより、リミットスイッチ３５がＯＮし、一次電池または二次電池からなる電源８から回路基板７等を介してヒータ４０に電流が印加され、ヒータ４０による磁気ディスク１０の発熱層１５の加熱が開始される。
【００３１】
ここで、炭化水素系の燃料Ｆは、白金等の触媒の存在下で炭酸ガス（ＣＯ２）と水（Ｈ２Ｏ）とに酸化分解し、炎を発することなく比較的低温（およそ１３０〜３５０℃）の熱を発生する。また、白金等の触媒は、自己の体積の１００倍以上の酸素吸着能を有しており、しかも触媒に吸着した酸素は極めて良好な反応性を有しているので、燃料Ｆの触媒反応を極めて良好に促進させる。更に、本実施形態では、筐体２が開封された段階で、磁気ディスク１０の発熱層１５がヒータ４０によって加熱されるので、燃料Ｆの触媒反応は極めて迅速に進行することになる。
【００３２】
このように、発熱層１５において、燃料Ｆが触媒反応により発熱することにより、磁気ディスク１０の磁性層１２は、燃料Ｆの触媒反応によって発生される熱により加熱されることになる。これにより、磁性層１２に記録されているコンテンツおよびＩＤ等の所望の一部またはすべてを消去することが可能となる。この結果、磁気記録装置１では、コンテンツの不正使用を極めて確実に阻止することができる。
【００３３】
なお、磁性層１２に記録されているコンテンツ等を完全に消去するためには、磁性層１２（磁気ディスク１０）をキュリー温度Θｆまで加熱することが好ましい。ただし、磁性層１２の温度がキュリー温度Θｆに達していない場合であっても、磁化が弱まって磁気ヘッド等からの再生信号のＳ／Ｎ比が十分に得られない状態になれば、コンテンツやＩＤ等はその価値を失うことになる。従って、燃料Ｆの触媒反応による加熱は、磁気ヘッド等からの再生信号のＳ／Ｎ比が十分に得られない程度にまで磁性層１２の磁化を弱めるものであればよい。
【００３４】
図７は、本発明による磁気記録装置の他の実施形態を示す概略構成図である。なお、先の実施形態に関して説明されたものと同一の要素については、同一の符号が付され、重複する説明は省略される。
【００３５】
図７に示される磁気記録装置１Ａは、密閉構造を有する筐体２を含んでいるが、上述の磁気記録装置１に設けられていた内部隔壁２０を備えていない。また、この磁気記録装置１Ａの筐体２の内部には、図８に示されるような燃料タンク３０Ａが配置されている。燃料タンク３０Ａは、上述の燃料タンク３０と同様に、ノズル３２を有する筐体３１を有する。ただし、本実施形態の場合、筐体３１は、可撓性材料により形成される必要はない。また、本実施形態のノズル３２は、電磁式または電動式のバルブ３６によって開閉される。バルブ３６のアクチュエータ部（図示されず）には、回路基板７等を介して電源８からの電流が印加される。燃料タンク３０内の燃料Ｆの圧力ＰＦは、筐体２の内圧Ｐ１よりも大きい値に設定される。
【００３６】
更に、磁気記録装置１Ａには、筐体２の開封を検知する開封検知センサ９（図１参照）が備えられている。開封検知センサ９は、回路基板７に接続されており、筐体２が開封されたことを検知すると、開封検知信号を回路基板７に組み込まれている所定のスイッチング回路に与える。そして、磁気記録装置１Ａでは、当該スイッチング回路が開封検知センサ９から開封検知信号を受け取った段階で、燃料タンク３０のバルブ３６（アクチュエータ部）に対する電源８からの給電、および、ヒータ４０に対する電源８からの給電が開始される。
【００３７】
ここで、開封検知センサ９としては、圧力センサ、酸素センサ、衝撃センサ等を用いることができる。開封検知センサ９として圧力センサが用いられる場合、密閉構造を有する筐体２が採用される。そして、筐体２の内部圧力は、常圧（大気圧）よりも十分に高圧または低圧に設定される。この場合、開封検知センサ９は、筐体２の内部圧力が設定圧力となっているか否かをモニタし、筐体２の内部圧力が常圧に変化した段階で回路基板７に組み込まれているスイッチング回路に開封検知信号を与える。
【００３８】
また、開封検知センサ９として酸素センサが用いられる場合も、密閉構造を有する筐体２が採用される。そして、筐体２の内気は、例えばアルゴン等の不活性ガスにより置換され、筐体２の内部は、酸素が存在しない状態に維持される。開封検知センサ９は、筐体２の内部の酸素量をモニタし、筐体２の内部に所定量以上の酸素が存在するようになった段階で回路基板７に組み込まれているスイッチング回路に開封検知信号を与える。開封検知センサ９として衝撃センサが用いられる場合、開封検知センサ９は、筐体２に生じる振動をモニタし、筐体２に機械加工等によって特異振動が生じた段階で回路基板７に組み込まれているスイッチング回路に開封検知信号を与える。
【００３９】
このように構成される磁気記録装置１Ａでは、専門の知識や技術をもつ者等が、磁気ディスク１０の記録内容（コンテンツ自体あるいはＩＤ等）を読み取るために磁気記録装置１の筐体２を少しでも開封すると、開封検知センサ９によって筐体２の開封が検知され、電源８から、燃料タンク３０のバルブ３６（アクチュエータ部）と、ヒータ４０とに対して電流が印加される。
【００４０】
これにより、燃料タンク３０Ａのバルブ３６が開放され、周囲圧力Ｐ１よりも高圧の燃料Ｆがノズル３２から磁気ディスク１０の発熱層１５に噴射されると共に、ヒータ４０による磁気ディスク１０の発熱層１５の加熱が開始される。そして、発熱層１５において、燃料Ｆが触媒反応により発熱することにより、磁気ディスク１０の磁性層１２が加熱されることになる。この結果、磁性層１２に記録されているコンテンツおよびＩＤ等の所望の一部またはすべてが消去されることになるので、コンテンツの不正使用を極めて確実に阻止することが可能となる。
【００４１】
【発明の効果】
以上説明されたように、本発明によれば、コンテンツの不正使用を極めて確実に阻止し得る磁気記録装置および磁気記録媒体の実現が可能となる。
【図面の簡単な説明】
【図１】本発明による磁気記録装置を示す概略構成図である。
【図２】図１の磁気記録装置に含まれる磁気ディスクを示す断面図である。
【図３】（Ａ）および（Ｂ）は、図１の磁気記録装置に含まれる燃料タンクの構造を説明する模式図である。
【図４】磁性体における基本的な磁区の状態を例示する模式図である。
【図５】磁性体に外部磁場を加えた際の磁区の状態を例示する模式図である。
【図６】磁性体の温度と飽和磁化との関係を示す図表である。
【図７】本発明による磁気記録装置の他の実施形態を示す概略構成図である。
【図８】図７の磁気記録装置に含まれる燃料タンクの構造を説明する模式図である。
【符号の説明】
１，１Ａ　磁気記録装置
２　筐体
３　スピンドルモータ
３ａ　回転軸
４　磁気ヘッド
５　ヘッドアーム
６　ボイスコイルモータ
７　回路基板
８　電源
９　開封検知センサ
１０　磁気ディスク
１１　基板
１２　磁性層
１４　潤滑層
１５　発熱層
１６　触媒
２０　内部隔壁
２１　内部気密室
２２　可動部材
２２ｃ　接片
２３　伸縮部材
２５　外部気密室
２７　連動板
３０，３０Ａ　燃料タンク
３１　筐体
３２　ノズル
３３　封止部材
３５　リミットスイッチ
３６　バルブ
４０　ヒータ
Ｆ　燃料
【図１】
2004054997.tif 000003
【図２】
2004054997.tif 000004
【図３】
2004054997.tif 000005
【図４】
2004054997.tif 000006
【図５】
2004054997.tif 000007
【図６】
2004054997.tif 000008
【図７】
2004054997.tif 000009
【図８】
2004054997.tif 000010